(57)【要約】【課題】  表示装置及びユーザインタフェース表示方法において、電気機器等の初期設定や調整等を行うために表示される設定項目の選択をしやすくする。【解決手段】  表示装置及びユーザインタフェース表示方法において、設定項目を表示画面に表示し、ユーザが表示された設定項目をキー操作によって選択したとき、選択された設定項目に使用履歴番号を付与し、使用履歴番号が付与された設定項目のみを分けて優先画面として、使用履歴番号の降順に設定項目を表示する。【選択図】  図２
2008257324.tif 000002
【特許請求の範囲】
【請求項１】
設定項目を表示する表示処理部と、
前記表示処理部に表示された設定項目を選択入力するキーと、
前記表示処理部によって表示される設定項目のうち前記キーによって選択された設定項目に使用履歴番号を付与する履歴番号付与部と、
使用履歴番号と設定項目を対応付けて記憶するメモリと、
前記表示処理部に使用履歴番号が付与された設定項目のみを分けた優先画面として表示させる優先画面表示制御部と
を備えたことを特徴とする表示装置。
【請求項２】
設定項目を表示する表示処理部と、
前記表示処理部に表示された設定項目を選択入力するキーと、
前記表示処理部によって表示される設定項目のうち前記キーによって選択された設定項目に使用履歴番号を付与する履歴番号付与部と、
使用履歴番号と設定項目を対応付けて記憶するメモリと、
前記表示処理部に使用履歴番号が付与された設定項目のみを分けた優先画面として表示させる優先画面表示制御部と、
前記優先画面に設定項目を使用履歴番号の降順に表示させる表示順制御部と
を備えたことを特徴とする表示装置。
【請求項３】
設定項目を表示するステップと、
表示された設定項目を選択するステップと、
選択された設定項目に使用履歴番号を付与するステップと、
使用履歴番号が付与された設定項目のみを分けて優先画面として表示するステップと
を備えることを特徴とするユーザインタフェース表示方法。
【請求項４】
設定項目を表示するステップと、
表示された設定項目を選択するステップと、
選択された設定項目に使用履歴番号を付与するステップと、
使用履歴番号が付与された設定項目のみを分けて優先画面として使用履歴番号の降順に設定項目を表示するステップと
を備えることを特徴とするユーザインタフェース表示方法。
【発明の詳細な説明】
【技術分野】
【０００１】
本発明は、電気機器等の初期設定や調整を行う設定項目の表示画面を表示する表示装置及びユーザインタフェース表示方法に関する。
【背景技術】
【０００２】
従来からある、電気機器等の初期設定や調整を行うための設定項目の表示画面は、多機能化により非常に複雑になっていて、ユーザが設定や調整をしようとする設定項目が表示画面のどこにあるか非常にわかりにくくなっていた。また、該当する設定項目を表示画面の中から特定できたとしても、ユーザが設定や調整をしようとする項目のところまでカーソルを移動させて選択し、更にその項目の下の階層に細かい設定項目がある場合には、下の階層の設定項目を表示させて、所望する細かい設定項目までカーソルを移動させなければならず、ユーザが操作にストレスを感じる設定項目の表示画面構成となっていた。
【０００３】
従来、メニューとして表示される項目を選択し、順序付けすることができる表示方法があった（特許文献１参照）。
また、ユーザが使用しないと判断した項目を表示させなくする表示方法があった（特許文献２参照）。
また、使用頻度やアクセス時間を記憶し、ユーザからの指示があれば、その使用頻度やアクセス時間の情報を基に項目を並べ替えるという表示方法があった（特許文献３参照）。
また、入力履歴を用いて、設定項目の表示画面を更新する表示方法があった（特許文献４参照）。
【０００４】
【特許文献１】特開平０８−２９７５５５号公報
【特許文献２】特開２００１−２３６２０４号公報
【特許文献３】特開平１１−３９１３３号公報
【特許文献４】特開平０５−２９８３７７号公報
【発明の開示】
【発明が解決しようとする課題】
【０００５】
特許文献１の方法では、カスタムメニューとして表示される設定項目の選択、及び順序付けが複雑であるため、処理速度が遅くなり、メニュー表示までに時間がかかる。
特許文献２の方法では、表示させなくした設定項目を使用する必要が生じたときに不便であり、また、使用する設定項目についてはそのままなので、例えば、所望の項目が階層の深いところにあれば、そこまでのカーソル移動量には変化がない。
特許文献３の方法では、ある一つの設定項目に対して、含まれる情報が多くなるため、複雑な処理となり、更に、時間情報を取得できない機器では対応することができない。また、設定項目を並べ替えるタイミングは、ユーザの判断に委ねられるため、そのことについてユーザは理解しておかなければならない。
特許文献４の方法では、画面に表示されている設定項目を使用するたびに書き換える（順番を換える）だけなので、特許文献１と同様に、所望の項目が階層の深いところにあれば、そこまでのカーソル移動量には変化がない。また、基本的な設定項目の表示画面の配置等が移動すると、取扱説明書等に記載されている設定項目の表示画面と差異が出てしまうことがあり、かえって混乱を招く場合もあった。
【０００６】
本発明の目的は、表示装置及びユーザインタフェース表示方法において、表示される設定項目の選択をしやすくすることにある。
【課題を解決するための手段】
【０００７】
本発明に係る表示装置は、設定項目を表示する表示処理部と、前記表示処理部に表示された設定項目を選択入力するキーと、前記表示処理部によって表示される設定項目のうち前記キーによって選択された設定項目に使用履歴番号を付与する履歴番号付与部と、使用履歴番号と設定項目を対応付けて記憶するメモリと、前記表示処理部に使用履歴番号が付与された設定項目のみを分けた優先画面として表示させる優先画面表示制御部とを備えたものである。また、前記優先画面に設定項目を使用履歴番号の降順に表示させる表示順制御部を備えることもできる。
【０００８】
本発明に係るインタフェース表示方法は、設定項目を表示するステップと、表示された設定項目を選択するステップと、選択された設定項目に使用履歴番号を付与するステップと、使用履歴番号が付与された設定項目のみを分けて優先画面として表示するステップとを備える。また、使用履歴番号の降順に設定項目を表示するステップを備えることもできる。
【発明の効果】
【０００９】
本発明の表示装置及びユーザインタフェース表示方法によれば、設定項目を選択しやすくすることができる。
【発明を実施するための最良の形態】
【００１０】
図１は、本発明の表示装置の一実施例の構成を示すブロック図である。
ＣＰＵ１は、履歴番号付与部１ａ、優先画面表示制御部１ｂ、表示順制御部１ｃを備え、表示処理部３を制御する。表示処理部３は、設定項目を表示する。ユーザは、入力部であるキー２によって、表示処理部３に表示された設定項目を選択入力する。履歴番号付与部１ａは、キー２によって選択入力された設定項目について使用履歴番号Ｎ（初期値＝０ｘ０１）を付与する。なお、履歴番号付与部１aは、表示処理部３に表示される全ての設定項目に対して使用履歴番号を付与することができる。
【００１１】
メモリ４は、履歴番号付与部１ａによって付与された使用履歴番号を設定項目と対応付けて記憶する。優先画面表示制御部１ｂは、使用履歴番号が付与された設定項目のみを表示する優先画面を構成して、表示処理部３に表示させる。表示順制御部１ｃは、使用履歴番号が付与された設定項目を使用履歴番号順に並べて、表示処理部３に表示させる。
【００１２】
図２は、本発明のユーザインタフェース表示方法の一実施例を示すフローチャートである。
キー２により設定画面の表示指示があると(S1でYES)、ＣＰＵ１は、全設定項目（設定項目が階層で構成されている場合には全階層の設定項目を含む）について使用履歴番号が付与された設定項目があるか否かを確認する(S2)。使用履歴番号が付与された設定項目があれば(S2でYES)、優先画面表示制御部１ｂは、設定項目の表示画面（優先画面）を新たに構成して(S3)、表示順制御部１ｃによって優先画面に使用履歴番号の大きい順に設定項目を、表示処理部３に表示する(S4)。キー２からの設定項目の選択入力を待ち(S5)、優先画面で設定項目が選択入力されたときには(S5でYES、S6でYES)、優先画面内に表示されている設定項目に付与された使用履歴番号のうち最も大きな使用履歴番号に０ｘ０１を加えた使用履歴番号を、当該設定項目に付与する(S7)。
【００１３】
優先画面外の設定項目が選択入力されたときには(S6でNO)、優先画面に表示されている設定項目に付与された使用履歴番号のうち最も大きな使用履歴番号に０ｘ０１を加えた使用履歴番号を、当該設定項目に付与する(S8)。
次に選択入力された設定項目があれば(S9でYES)、S6に戻って以降の処理を続ける。次に選択入力された設定項目がなければ(S9でNO)、画面表示を続行する場合(S10でYES)、S2に戻って以降の処理を続ける。画面表示を終了する場合(S10でNO)、終了する。
【００１４】
S2で使用履歴番号が付与された設定項目があるか否かを確認したとき、使用履歴番号が付与された設定項目がなければ(S2でNO)、ＣＰＵ１は、表示処理部３に設定項目を表示し(S11)、設定項目の選択入力を待つ(S12)。キー２から設定項目の選択入力がされたら(S12でYES)、履歴番号付与部１ａは、当該設定項目に使用履歴番号Ｎ＝０ｘ０１を付与する(S13,S14)。
次に選択入力された設定項目があれば(S15でYES)、使用履歴番号Ｎに０ｘ０１を加算し(S16)、S14に戻って使用履歴番号Ｎの付与を行い、以降の処理を続ける。次に選択入力された設定項目がなければ(S15でNO)、画面表示を続行する場合(S10でYES)、S2に戻って以降の処理を続ける。画面表示を終了する場合(S10でNO)、終了する。
【００１５】
以上、本発明の表示装置及びユーザインタフェース表示方法は、使用履歴のある設定項目を優先画面に表示し、使用履歴のない設定項目は元の画面で表示し使用状況に応じて使用履歴番号を付与する。従って、設定項目選択の操作性を良くすることができる。
【図面の簡単な説明】
【００１６】
【図１】本発明の表示装置の一実施例の構成を示すブロック図である。
【図２】本発明のインタフェース表示方法の一実施例を示すフローチャートである。
【符号の説明】
【００１７】
１  ＣＰＵ
１ａ  履歴番号付与部
１ｂ  優先画面表示制御部
１ｃ  表示順制御部
２  キー
３  表示処理部
４  メモリ
【図１】
2008257324.tif 000003
【図２】
2008257324.tif 000004